(57)【要約】【課題】製造時に隙間や位置ずれが生じ難い構造の右手／左手系複合導波管、その製造方法、及びそれを備える高周波回路を提供することを目的とする。【解決手段】本発明に係る右手／左手系複合導波管は、複数の単位構造体３が電磁波を伝送する方向に配列された構造の右手／左手系複合導波管であって、前記単位構造体３は、前記単位構造体３が配列される配列方向に垂直な断面形状が矩形である主導波管１と、前記主導波管１の少なくとも１つの面から分岐された先端短絡スタブ２とからなり、前記先端短絡スタブ２の内部の媒質は、前記主導波管１の内部の媒質と同一のものであり、前記主導波管１の面のうち、前記先端短絡スタブ２が分岐している分岐面に垂直且つ前記配列方向に平行な面の１つと、前記先端短絡スタブ２の面のうち、前記主導波管１の前記分岐面に垂直且つ前記配列方向に平行な面の１つとが同一平面上にある。【選択図】図１
2019204996.tif 000002
【特許請求の範囲】
【請求項１】
複数の単位構造体（３）が電磁波を伝送する方向に配列された構造の右手／左手系複合導波管であって、
前記単位構造体（３）は、前記単位構造体（３）が配列される配列方向に垂直な断面形状が矩形である主導波管（１）と、前記主導波管（１）の少なくとも１つの面から分岐された先端短絡スタブ（２）とからなり、
前記先端短絡スタブ（２）の内部の媒質は、前記主導波管（１）の内部の媒質と同一のものであり、
前記主導波管（１）の面のうち、前記先端短絡スタブ（２）が分岐している分岐面に垂直且つ前記配列方向に平行な面の１つと、前記先端短絡スタブ（２）の面のうち、前記主導波管（１）の前記分岐面に垂直且つ前記配列方向に平行な面の１つとが同一平面（４）上にあることを特徴とする右手／左手系複合導波管。
【請求項２】
請求項１に記載される右手／左手系複合導波管の製造方法であって、
複数の前記単位構造体（３）を配列させた構造を形成する導波管形成工程と、
前記導波管形成工程で現れた前記同一平面（４）に金属板（３１）を貼り付ける貼付工程と、
を有する右手／左手系複合導波管の製造方法。
【請求項３】
前記導波管形成工程では、金属バルクの一面に前記同一平面（４）が現れるように複数の前記単位構造体（３）を前記金属バルクに一体成形することを特徴とする請求項２に記載の右手／左手系複合導波管の製造方法。
【請求項４】
請求項１に記載の右手／左手系複合導波管と、
前記右手／左手系複合導波管の前記同一平面（４）が密着される導体面と、
を備える高周波回路。
【発明の詳細な説明】
【技術分野】
【０００１】
本開示は、電磁波を伝搬させるための導波管であって右手系伝送線路としても左手系伝送線路としても動作可能な右手／左手系複合導波管、その製造方法、及びそれを備える高周波回路に関する。
【背景技術】
【０００２】
金属、誘電体、磁性体、超伝導体などの小片（単位構造体）を、波長に対して十分短い間隔（波長の１０分の１程度以下）で並べることで自然にはない性質を持った媒質を人工的に構成することができる。この媒質を自然にある媒質のカテゴリに比べてより大きいカテゴリに属する媒質と言う意味でメタマテリアル（ｍｅｔａｍａｔｅｒｉａｌｓ）と呼んでいる。メタマテリアルの性質は、単位構造体の形状、材質およびそれらの配置により様々に変化する。
【０００３】
中でも、等価的な誘電率εと透磁率μとが同時に負となるメタマテリアルは、その中を伝搬する波の電界ベクトルと磁界ベクトルと波数ベクトルが左手系をなすことから「左手系媒質（ＬＨＭ：Ｌｅｆｔ−Ｈａｎｄｅｄ  Ｍａｔｅｒｉａｌｓ）」と名付けられた。この左手系媒質を本明細書においては左手系メタマテリアルと呼ぶ。これに対して、等価的な誘電率εと透磁率μとが同時に正となる通常の媒質は「右手系媒質（ＲＨＭ：Ｒｉｇｈｔ−Ｈａｎｄｅｄ  Ｍａｔｅｒｉａｌｓ）」と呼ばれる。これら誘電率ε、透磁率μと媒質との関係領域は、図１２に示すように、誘電率εの正負および透磁率μの正負に応じた第１象限〜第４象限の媒質に分類できる。右手系媒質は第１象限の媒質であり、左手系媒質は第３象限の媒質である。
【０００４】
特に、左手系メタマテリアルは、媒質中を進む波の群速度（エネルギーの伝播する速度）と位相速度（位相の進む速度）が異符号となる波（バックワード波と呼ばれる）の存在や、また、指数関数的に減衰するエバネセント波の増幅、等の特異な性質を持つものである。左手系メタマテリアルは人工的に構成することができる。このことは、下記の非特許文献１、非特許文献２にも記載されているように既に公知である。
【０００５】
このメタマテリアルの概念に基づき、金属パターンからなる単位セルを周期的に並べて、バックワード波の伝播やエバネセント波の増大を実現する伝送線路が提案されている。これまで、その伝送特性が理論的に取り扱われ、この線路が左手系伝搬域を持つこと、左手系伝搬域と右手系伝搬域との間にバンドギャップが生じること、そのバンドギャップ幅は単位セル中のリアクタンス成分によりコントロールすることができること等が理論的に明らかになっている。これらに関しては、下記の非特許文献３に記載されている。
【０００６】
また、左手系媒質の特性を有する導波管としては、下記の非特許文献４、非特許文献５に記載されたものが提案されている。非特許文献４には、伝送する電磁波の周波数において伝搬領域となる主導波管と、主導波管中に設けた絞り（誘導性窓）と、主導波管から分岐した先端短絡スタブとを備えた周期構造の左手系導波管が記載されている。また、非特許文献５には、伝送する電磁波の周波数において遮断領域となる主導波管と、主導波管から分岐した先端短絡スタブとを備えた周期構造の左手系導波管が記載されている。この非特許文献５の左手系導波管における先端短絡スタブ中には誘電体が挿入されている。
【先行技術文献】
【特許文献】
【０００７】
【特許文献１】特許第５０７１８５９号
【特許文献２】特許第４６４４２６２号
【特許文献３】特許第５３２２２２３号
【非特許文献】
【０００８】
【非特許文献１】Ｄ．Ｒ．Ｓｍｉｔｈ，Ｗ．Ｊ．Ｐａｄｉｌｌａ，Ｄ．Ｃ．Ｖｉｅｒ，Ｓ．Ｃ．Ｎｅｍａｔ−Ｎａｓｓｅｒ，ａｎｄＳ．Ｓｃｈｕｌｔｚ，“Ｃｏｍｐｏｓｉｔｅ  ｍｅｄｉｕｍ  ｗｉｔｈ  ｓｉｍｕｌｔａｎｅｏｕｓｌｙ  ｎｅｇａｔｉｖｅ  ｐｅｒｍｅａｂｉｌｉｔｙ  ａｎｄｐｅｒｍｉｔｔｉｖｉｔｙ”，Ｐｈｙｓ．Ｒｅｖ．Ｌｅｔｔ．，ｖｏｌ．８４，ｎｏ．１８，ｐ．４１８４−４１８７，Ｍａｙ  ２０００
【非特許文献２】Ｃ．Ｃａｌｏｚ，ａｎｄＴ．Ｉｔｏｈ，“Ａｐｐｌｉｃａｔｉｏｎ  ｏｆ  ｔｈｅ  ｔｒａｎｓｍｉｓｓｉｏｎ  ｌｉｎｅ  ｔｈｅｏｒｙ  ｏｆ  ｌｅｆｔ−ｈａｎｄｅｄ（ＬＨ）ｍａｔｅｒｉａｌｓｔｏ  ｔｈｅ  ｒｅａｌｉｚａｔｉｏｎ  ｏｆ  ａ  ｍｉｃｒｏｓｔｒｉｐ  ＬＨ  ｌｉｎｅ”，ＩＥＥＥ−ＡＰＳ  Ｉｎｔ’ｌ  Ｓｙｍｐ．Ｄｉｇｅｓｔ，ｖｏｌ．２，ｐ．４１２−４１５，Ｊｕｎｅ  ２００２
【非特許文献３】ＡｔｓｕｓｈｉＳａｎａｄａ，Ｃｈｒｉｔｏｐｈｅ  Ｃａｌｏｚ  ａｎｄ  Ｔａｔｓｕｏ  Ｉｔｏｈ，“Ｃｈａｒａｃｔｅｒｉｓｔｉｃｓ  ｏｆ  ｔｈｅ  ＣｏｍｐｏｓｉｔｅＲｉｇｈｔ／Ｌｅｆｔ−Ｈａｎｄｅｄ  Ｔｒａｎｓｍｉｓｓｉｏｎ  Ｌｉｎｅｓ”，ＩＥＥＥ  Ｍｉｃｒｏｗａｖｅ  ａｎｄ  Ｗｉｒｅｌｅｓｓ  ＣｏｍｐｏｎｅｎｔＬｅｔｔｅｒｓ，ｖｏｌ．１４，ｎｏ．２，ｐ．６８−７０，Ｆｅｂｒｕａｒｙ  ２００４
【非特許文献４】池田宇宙、榊原久二男、菊間信良、平山裕、“左手系導波管漏れ波スロットアレーアンテナのビーム走査特性”、２００７年電子情報通信学会総合大会講演論文集（ＢＳ−１−６）、２００７年３月、ｐ．Ｓ２１−Ｓ２２
【非特許文献５】久保洋、笹井雅彦、真田篤志、“導波管型左手系線路とアンテナへの応用”、２００７年電子情報通信学会総合大会講演論文集（ＢＳ−１−５）、２００７年３月、ｐ．Ｓ１９−Ｓ２０
【発明の概要】
【発明が解決しようとする課題】
【０００９】
提案されている方形導波管と短絡スタブを用いた右手／左手系複合（ＣＲＬＨ）導波管の製造方法が特許文献１から３に記載されている。特許文献１や特許文献２では、別々のバルク金属に方形導波管部と先端短絡スタブ部を構成し、ねじ等で両部を接合することによって右手／左手系複合導波管を実現している。特許文献３では、開口部を有する複数の金属層を重ね合わせることによって右手／左手系複合導波管を実現している。
【００１０】
しかし、これらの製造方法の場合、接合する際に、接合間に僅かな隙間が生ずる可能性があり、その隙間による特性変化や隙間への不要な電磁波漏れによる伝送損失の増大を招くという課題があった。また、接合の際の位置ずれがあると、動作周波数が高周波であるほど位置ずれによる特性変化が顕著になるという課題もあった。
【００１１】
そこで、本発明は、上記課題を解決するために、製造時に隙間や位置ずれが生じ難い構造の右手／左手系複合導波管、その製造方法、及びそれを備える高周波回路を提供することを目的とする。
【課題を解決するための手段】
【００１２】
上記目的を達成するために、本発明に係る右手／左手系複合導波管は、構造を分割することなく、方形導波管と短絡スタブを空間的に結合させた構造を１つの金属バルクに一体成形することとした。
【００１３】
具体的には、本発明に係る右手／左手系複合導波管は、複数の単位構造体（３）が電磁波を伝送する方向に配列された構造の右手／左手系複合導波管であって、
前記単位構造体（３）は、前記単位構造体（３）が配列される配列方向に垂直な断面形状が矩形である主導波管（１）と、前記主導波管（１）の少なくとも１つの面から分岐された先端短絡スタブ（２）とからなり、
前記先端短絡スタブ（２）の内部の媒質は、前記主導波管（１）の内部の媒質と同一のものであり、
前記主導波管（１）の面のうち、前記先端短絡スタブ（２）が分岐している分岐面に垂直且つ前記配列方向に平行な面の１つと、前記先端短絡スタブ（２）の面のうち、前記主導波管（１）の前記分岐面に垂直且つ前記配列方向に平行な面の１つとが同一平面（４）上にあることを特徴とする。
【００１４】
前記右手／左手系複合導波管の製造方法であって、
複数の前記単位構造体（３）を配列させた構造を形成する導波管形成工程と、
前記導波管形成工程で現れた前記同一平面（４）に金属板（３１）を貼り付ける貼付工程と、
を有する。
【００１５】
前記導波管形成工程では、金属バルクの一面に前記同一平面（４）が現れるように複数の前記単位構造体（３）を前記金属バルクに一体成形することを特徴とする。
【００１６】
本発明に係る右手／左手系複合導波管は、単体の金属バルクに対して方形導波管および先端短絡スタブとなる溝構造を同時に加工し、金属板で当該溝構造を閉じるのみの単純な構造である。方形導波管および先端短絡スタブとなる溝構造を金属バルクに形成するため、両者に隙間や位置ずれは生じない。また、金属板で当該溝構造を覆うだけなので、正確な位置合わせも不要である。
【００１７】
また、本発明に係る高周波回路は、右手／左手系複合導波管と、前記右手／左手系複合導波管の前記同一平面（４）が密着される導体面と、を備える。
【００１８】
例えば、装置の筐体面を前記金属板とすれば、溝構造を形成した金属バルクを筐体面に貼り付けるだけで所定特性のフィルタやアンテナの機能を有する高周波回路を構成できる。
【００１９】
従って、本発明は、製造時に隙間や位置ずれが生じ難い構造の右手／左手系複合導波管、その製造方法、及びそれを備える高周波回路を提供することができる。
【発明の効果】
【００２０】
本発明は、製造時に隙間や位置ずれが生じ難い構造の右手／左手系複合導波管、その製造方法、及びそれを備える高周波回路を提供することができる。
【図面の簡単な説明】
【００２１】
【図１】本発明に係る右手／左手系複合導波管を説明する図である。
【図２】本発明に係る右手／左手系複合導波管の製造方法を説明する図である。
【図３】本発明に係る右手／左手系複合導波管を説明する図である。
【図４】本発明に係る右手／左手系複合導波管の製造方法を説明する図である。
【図５】本発明に係る右手／左手系複合導波管を説明する図である。
【図６】本発明に係る右手／左手系複合導波管の製造方法を説明する図である。
【図７】本発明に係る右手／左手系複合導波管を説明する図である。
【図８】本発明に係る右手／左手系複合導波管の製造方法を説明する図である。
【図９】本発明に係る右手／左手系複合導波管を説明する図である。
【図１０】本発明に係る右手／左手系複合導波管の製造方法を説明する図である。
【図１１】本発明に係る高周波回路を説明する図である。
【図１２】誘電率ε、透磁率μの正負領域と媒質との関係を説明する図である。
【発明を実施するための形態】
【００２２】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２３】
（実施形態１）
図１及び図２は、本実施形態の右手／左手系複合導波管３０１を説明する図である。右手／左手系複合導波管３０１は、複数の単位構造体３が電磁波を伝送する方向（ｘ軸方向）に配列された構造の右手／左手系複合導波管であって、
単位構造体３は、単位構造体３が配列される配列方向（ｘ軸方向）に垂直な断面形状が矩形である主導波管１と、主導波管１の少なくとも１つの面１ａから分岐された先端短絡スタブ２（図１では２−１と２−２で示している。）とからなり、
先端短絡スタブ２の内部の媒質は、主導波管１の内部の媒質と同一のものであり、
主導波管１の面のうち、先端短絡スタブ２が分岐している分岐面１ａに垂直且つ配列方向（ｘ軸方向）に平行な面１ｂの１つと、先端短絡スタブ２の面のうち、主導波管１の分岐面１ａに垂直且つ配列方向（ｘ軸方向）に平行な面の１つ（面２ｂ）とが同一平面４上にあることを特徴とする。
【００２４】
導体（典型的には金属）からなる断面が長方形の主導波管１には、主導波管１に対して右側と左側に周期的に配置された２種類の複数の先端短絡スタブ２（２−１及び２−２）が接続されている。図示のように、主導波管１の中心軸方向は、直交座標系（ｘｙｚ座標）のｘ軸方向とされている。電磁波は、右手／左手系複合導波管３０１のｘ軸方向に伝搬する。なお、先端短絡スタブ２の説明で、枝番号を付さずに説明する場合は、２種類の先端短絡スタブの双方に共通する内容である。
【００２５】
先端短絡スタブ２は、縦方向（ｚ軸方向）の寸法が主導波管１の縦方向（ｚ軸方向）の寸法よりも大きくなるように形成されている。先端短絡スタブ２と主導波管１の接続部は開口とされており、先端短絡スタブ２の先端側（接続部と反対側）は短絡されている。先端短絡スタブ２は、ｘ軸と直交するように配置されており、ｙｚ平面と平行に設けられている。主導波管１と先端短絡スタブ２は、ｘ軸方向に周期性を有する周期構造体である。これは、単位構造体３がｘ軸方向に周期的に密に配置されているのと等価である。なお、先端短絡スタブ２−１の長さと先端短絡スタブ２−２の長さとは異なるように設計される（図１の場合、先端短絡スタブ２−１より先端短絡スタブ２−２の方が長い。）。また、先端短絡スタブ２の長さとは、主導波管１との接続部から先端短絡スタブ２の先端までの長さ（図１であればｙ方向の長さ）である。
【００２６】
右手／左手系複合導波管３０１は、主導波管１の寸法、先端短絡スタブの寸法及び単位構造体３を配列するピッチを調整することで左手系導波管として動作可能であるとともに右手系導波管としても動作可能である。
【００２７】
右手／左手系複合導波管３０１が左手系導波管として動作する場合は、主導波管１は、伝送する電磁波の周波数において遮断領域となる寸法となっている。これに対して、先端短絡スタブ２は、伝送する電磁波の周波数において伝搬領域となる寸法とされている。さらに、先端短絡スタブ２−２の長さを先端短絡スタブ２−１の長さより長くし、当該周波数で先端短絡スタブ２−２が主導波管１から見て容量性インピーダンスを示すように、先端短絡スタブ２−１が主導波管１から見て誘導性インピーダンスを示すように設定する。
【００２８】
一方、右手／左手系複合導波管３０１が右手系導波管として動作する場合は、主導波管１および先端短絡スタブ２の双方が、伝送する電磁波の周波数において伝搬領域となる寸法となっている。この場合も、先端短絡スタブ２−２の長さを先端短絡スタブ２−１の長さより長くするが、当該周波数では、先端短絡スタブ２−１も先端短絡スタブ２−２も、主導波管１から見て誘導性インピーダンスを示す。
【００２９】
先端短絡スタブ２の内部の媒質は、主導波管１の内部の媒質と同一のものである。先端短絡スタブ２の縦方向（ｚ軸方向）寸法が主導波管１縦方向（ｚ軸方向）寸法よりも大きくなるようにしているので、左手系導波管として動作させる場合でも動作条件を満足させることができる。ここで、先端短絡スタブ２の縦方向（ｚ軸方向）寸法が主導波管１縦方向（ｚ軸方向）寸法よりも大きいが、主導波管１の面１ｂと先端短絡スタブ２の面２ｂとは同一平面４上にあるように形成される。
【００３０】
図２は、右手／左手系複合導波管３０１の製造方法を説明する図である。本製造方法は、右手／左手系複合導波管３０１の製造方法であって、
複数の単位構造体３を配列させた溝構造３３を形成する導波管形成工程Ｓ１と、
導波管形成工程Ｓ１で現れた同一平面４に金属板３１を貼り付ける貼付工程Ｓ２と、
を有する。ここで、導波管形成工程Ｓ１では、金属バルクの一面に同一平面４が現れるように複数の単位構造体３を前記金属バルクに一体成形することが好ましい。
【００３１】
まず、導波管形成工程Ｓ１において、金属バルクの片面に溝１１と溝１２を同時に構成し、溝構造３３を形成する。続いて、貼付工程Ｓ２において、溝構造３３と金属板３１とを接合する。溝構造３３と金属板３１との接合固定方法は、ねじ止め、溶接等の任意の固定方法が使用できる。
【００３２】
溝構造３３の同一平面４に金属板３１を接合すると、溝１１と溝２１とにより、主導波管１と先端短絡スタブ２とが構成される。ここで、ｘ軸方向の溝１１が主導波管１、ｙ軸方向の溝１２が先端短絡スタブ２となり、各溝の深さが前記縦方向（ｚ軸方向）の寸法となる。溝構造３３に金属板３１で蓋をするだけなので、両者間のアライメントが不要であり容易に右手／左手系複合導波管３０１を完成させることができる。
【００３３】
実施形態１の右手／左手系複合導波管３０１は、主導波管１の両側に接続部が対向するように先端短絡スタブ２があり、先端短絡スタブ２の形状がｚ軸方向から見た時に接続部から短絡部まで直線である例を説明した。以下では他の形状の右手／左手系複合導波管を説明する。
【００３４】
（実施形態２）
図３及び図４は、本実施形態の右手／左手系複合導波管３０２を説明する図である。右手／左手系複合導波管３０２と図１の右手／左手系複合導波管３０１との相違点は、先端短絡スタブ２の形状である。右手／左手系複合導波管３０２の先端短絡スタブ２は、ｚ軸方向から見た時にＬ字型のように接続部から短絡部までの間でｘ軸方向へ折れ曲がっている形状である。図１の右手／左手系複合導波管３０１と同一の特性となるように設計した場合、右手／左手系複合導波管３０２の方がｙ軸方向の幅を狭くできるというメリットがある。
【００３５】
図４は、右手／左手系複合導波管３０２の製造方法を説明する図である。図２の右手／左手系複合導波管３０１の製造方法と同様に、金属バルクに溝１１と溝１２を一体成形して溝構造３３を形成し、金属板３１で蓋をするだけなので、両者間のアライメントが不要であり容易に右手／左手系複合導波管を完成させることができる。
【００３６】
（実施形態３）
図５及び図６は、本実施形態の右手／左手系複合導波管３０３を説明する図である。右手／左手系複合導波管３０３と図１の右手／左手系複合導波管３０１との相違点は、先端短絡スタブ２が主導波管１の片側のみに配置されていることである。
【００３７】
図６は、右手／左手系複合導波管３０３の製造方法を説明する図である。図２の右手／左手系複合導波管３０１の製造方法と同様に、金属バルクに溝１１と溝１２を一体成形して溝構造３３を形成し、金属板３１で蓋をするだけなので、両者間のアライメントが不要であり容易に右手／左手系複合導波管を完成させることができる。
【００３８】
（実施形態４）
図７及び図８は、本実施形態の右手／左手系複合導波管３０４を説明する図である。右手／左手系複合導波管３０４と図２の右手／左手系複合導波管３０２との相違点は、先端短絡スタブ２が主導波管１の片側のみに配置されていることである。
【００３９】
図８は、右手／左手系複合導波管３０４の製造方法を説明する図である。図２の右手／左手系複合導波管３０１の製造方法と同様に、金属バルクに溝１１と溝１２を一体成形して溝構造３３を形成し、金属板３１で蓋をするだけなので、両者間のアライメントが不要であり容易に右手／左手系複合導波管を完成させることができる。
【００４０】
（実施形態５）
図９及び図１０は、本実施形態の右手／左手系複合導波管３０５を説明する図である。右手／左手系複合導波管３０５と図２の右手／左手系複合導波管３０２との相違点は、先端短絡スタブ２の折れ曲がる方向及び接続部の位置である。右手／左手系複合導波管３０１では先端短絡スタブ２の接続部は両分岐面１ａの対向する位置にあるが、右手／左手系複合導波管３０５では先端短絡スタブ２の接続部は主導波管１の左右（ｙ軸方向）で互い違いに配置されている。また、右手／左手系複合導波管３０１では先端短絡スタブ２の折れ曲がる方向は同じであるが、右手／左手系複合導波管３０５では先端短絡スタブ２の折れ曲がる方向は主導波管１の左右（ｙ軸方向）で逆である。
【００４１】
図１０は、右手／左手系複合導波管３０５の製造方法を説明する図である。図２の右手／左手系複合導波管３０１の製造方法と同様に、金属バルクに溝１１と溝１２を一体成形して溝構造３３を形成し、金属板３１で蓋をするだけなので、両者間のアライメントが不要であり容易に右手／左手系複合導波管を完成させることができる。
【００４２】
（実施形態６）
図１１は、本実施形態の高周波回路３０６を説明する図である。高周波回路３０６は、実施形態１から５で説明した溝構造３３と、溝構造３３の同一平面４が密着される導体面３２と、を備える。導体面３２は、回路基板でもよいし装置の金属筐体であってもよい。なお、導体面３２には、溝構造３３に対して電磁波を入出力できる高周波線路２１が形成されている。
【００４３】
高周波回路３０６の溝構造３３は、実施形態１から５で説明したように形成される。ただし、本実施形態の溝構造３３には、主導波管１となる溝１１及び先端短絡スタブ２となる溝１２の他に導波管変換部１５及び溝１６が金属バルクに形成される。導波管変換部１５は、高周波線路２１と主導波管１とを接続するための導波路であり、高周波線路２１からの電磁波を主導波管１に入力、主導波管１からの電磁波を高周波線路２１へ出力する。そして、回路基板や装置筐体の所定部分に同一平面４を貼り付けることで高周波回路３０６が完成する。溝１６は、溝構造３３を導体面３２に貼り付けた時に高周波線路２１を溝構造３３に接触させないための隙間となる。金属バルクに溝１１、溝１２、溝１６及び導波管変換部１５を一体成形して溝構造３３を形成し、導体面３２に貼り付けるだけなので、両者間のアライメントが不要であり容易に高周波回路を完成させることができる。
【符号の説明】
【００４４】
１：主導波管
２、２−１、２−２：先端短絡スタブ
３：単位構造体
４：同一平面
１１、１２：溝
１５：導波管変換部
１６：溝
２１：高周波線路
３１：金属板
３２：導体面
３３：溝構造
３０１〜３０５：右手／左手系複合導波管
３０６：高周波回路
【図１】
2019204996.tif 000003
【図２】
2019204996.tif 000004
【図３】
2019204996.tif 000005
【図４】
2019204996.tif 000006
【図５】
2019204996.tif 000007
【図６】
2019204996.tif 000008
【図７】
2019204996.tif 000009
【図８】
2019204996.tif 000010
【図９】
2019204996.tif 000011
【図１０】
2019204996.tif 000012
【図１１】
2019204996.tif 000013
【図１２】
2019204996.tif 000014